(57)【要約】【課題】流動化した粉流体中に吹き抜けを形成し難くした粉体圧送装置を提供する。【解決手段】圧送タンク２と、エアレーションチャンバ４とを有し、該エアレーションチャンバで形成された粉流体を圧送するようにした粉体圧送装置であって、前記エアレーションチャンバの吹き込み気体と粉体との接触面に配設された、多数の微細孔が形成された多孔板５と、前記圧送タンク内を所定圧に加圧するための、前記エアレーション配管と独立したタンク加圧配管６と、前記エアレーションチャンバで形成された粉流体を、下向きノズル７を介してエアレーションチャンバ上方へ取り出す粉体搬送配管８を備えたものにおいて、前記下向きノズルを下向きのラッパ管２０とすると共に該ラッパ管の上方かつ相互隣接管間に上部エアレーション用ノズル２１を設けた。【選択図】  図１
2004277042.tif 000002
【特許請求の範囲】
【請求項１】
圧送されるべき粉体が装入される圧送タンクと、該圧送タンクの底部に配設された、エアレーション配管を介して吹き込まれる気体により粉体を流動化するエアレーションチャンバとを有し、該エアレーションチャンバで形成された粉流体を圧送するようにした粉体圧送装置であって、前記エアレーションチャンバの吹き込み気体と粉体との接触面に配設された、多数の微細孔が形成された多孔板と、前記圧送タンク内を所定圧に加圧するための、前記エアレーション配管と独立したタンク加圧配管と、前記エアレーションチャンバで形成された粉流体を、複数の下向きノズルを介してエアレーションチャンバ上方へ取り出す粉体搬送配管を備えたものにおいて、前記下向きノズルを下向きのラッパ管とすると共に前記下向きノズルの下端より上方の位置に上部エアレーション用ノズルを設けたことを特徴とする粉体圧送装置。
【請求項２】
前記ラッパ管のテーパ角度が１０〜３０°であることを特徴とする請求項１に記載の粉体圧送装置。
【請求項３】
前記ラッパ管の先端開口の口径Ｄが、該先端開口の中心と前記多孔板との最短距離ｈに対し、次の（式１）を満たすことを特徴とする請求項１または２に記載の粉体圧送装置。
（式１）    ｜Ｄ−ｈ｜／Ｄ≦０．２０
【請求項４】
前記ラッパ管を前記圧送タンクの中心軸に同心な同一円周上に等間隔で複数個配設すると共に、前記ラッパ管の相互隣接管間に前記上部エアレーション用ノズルを配設したことを特徴とする請求項１〜３のいずれかに記載の粉体圧送装置。
【請求項５】
前記多孔板を配設される前記エアレーションチャンバの吹き込み気体と粉体との接触面の一部が、前記圧送タンクの中心軸に同心な上細円錐台の周面をなすことを特徴とする請求項４に記載の粉体圧送装置。
【請求項６】
前記エアレーションチャンバへの吹き込み気体と前記上部エアレーション用ノズルへの吹き込み気体とを共通のエアレーション配管で供給し、前記エアレーションチャンバへの吹き込み気体と前記上部エアレーション用ノズルへの吹き込み気体の供給流量を制御する流量制御弁を設けたことを特徴とする請求項１〜５のいずれかに記載の粉体圧送装置。
【発明の詳細な説明】
【０００１】
【発明の属する技術分野】
本発明は、粉体圧送装置に係り、特に、高炉羽口への微粉炭（直径３ｍｍ未満の粉炭）吹き込みに用いるに好適な、圧送されるべき粉体が装入される圧送タンク２と、該圧送タンクの底部に配設された、エアレーション配管を介して吹き込まれる気体により粉体を流動化するエアレーションチャンバとを有し、該エアレーションチャンバで形成された粉流体を圧送するようにした粉体圧送装置の改良に関する。
【０００２】
【従来の技術】
高炉羽口へ微粉炭を吹き込むための従来の粉体圧送装置としては、粉体を安定して搬送先へ搬送でき、したがって、多地点への同時搬送も容易化するという目的を達成するために、例えば図３に示す如く、圧送されるべき粉体１が装入される圧送タンク２と、該圧送タンク２の底部に配設された、エアレーション配管３を介して吹き込まれる気体により粉体を流動化するエアレーションチャンバ４とを有し、該エアレーションチャンバ４で形成された粉流体を圧送するようにした粉体圧送装置において、前記エアレーションチャンバ４の吹き込み気体と粉体との接触面に配設された、多数の微細孔が形成された多孔板５と、前記圧送タンク２内を所定圧に加圧するための、前記エアレーション配管３と独立したタンク加圧配管６と、前記エアレーションチャンバ４で形成された粉流体を、下向きノズル７を介してエアレーションチャンバ４上方へ取り出す粉体搬送配管８を備えた構成にしたものが知られている（特許文献１参照）。
【０００３】
これによれば、多孔板５を用いたことで、エアレーションガス流量が、多孔板５に設けられた微細孔への気体の通過抵抗のみで制御されるので、エアレーションを完全に安定なものにすることができ、また、下向きノズル７を用いて粉体の搬送をタンク内から上向きに行うことで、粉体重量による下方への落下の影響をなくし、完全に流動化されて浮遊している粉体のみをノズルに流入させて搬送することができ、安定したエアレーションと組み合わされて、脈動の少ない安定した高密度の粉体搬送を実現することができる。
【０００４】
また、前記従来の粉体圧送装置では、前記下向きノズル７を前記圧送タンク２の中心軸の同一円周上に等間隔で複数個配設すると共に、前記粉体搬送配管８を各下向きノズル７から放射状に複数本配設することによって、粉流体の多地点への同時搬送を可能としている。また、前記粉体搬送配管８の途中に連結された、該粉体搬送配管８中に粉流体の圧送を補助するブースタ気体を供給するブースタ配管１０と、ブースタ気体の流量を制御するブースタ流量制御弁１２とを設けることにより、粉流体流量を容易に制御できるようにしている。
【０００５】
なお、図３において、９は圧送タンク２へ装入する粉体を通す粉体供給配管、１３は粉体供給配管９に設けられた開閉弁、１５は圧送タンク２内のガス過剰分を抜くガス抜きパイプ、１４はガス抜きパイプ１５に設けられた安全弁、１６は、エアレーション配管３に設けられた開閉弁（例：ボール弁等）、１７は粉体搬送配管８に設けた開閉弁（例：ボール弁等）、１８はタンク加圧配管６に設けられたタンク圧制御弁である。
【０００６】
【特許文献１】
特開昭５８−１２５５２６号公報
【０００７】
【発明が解決しようとする課題】
しかし、前記従来の粉体圧送装置では、粉流体の取り出し量を増加させるためにエアレーション用気体量を上昇させると、エアレーションにより流動化されている粉流体中に気体流が中心となって流れる、いわゆる“吹き抜け”と呼ばれる気体通気路が形成される場合があり、この吹き抜けが形成されると、この吹き抜けに通じた下向きノズルには、気体量が多く、粉体の供給が不十分となり、当該下向きノズルを介した粉流体の取り出し量（搬送量）が所定の目標量を下回るという問題が生じる他、複数の下向きノズルを配置した粉体圧送装置では、各下向きノズルから取り出される粉流体の搬送量が互いに大きく異なることになるという問題が生じた。
【０００８】
この問題は、高炉羽口への微粉炭吹き込みに用いる粉体圧送装置では、高炉の各羽口に供給される微粉炭量がアンバランスになる結果、高炉円周方向で炉内状況の偏差を生じ高炉炉況不調を引き起こす重大事故につながることになった。
本発明は、この問題を解決し、流動化した粉流体中に吹き抜けを形成し難くした粉体圧送装置を提供することを目的とする。
【０００９】
【課題を解決するための手段】
本発明者らは、吹き抜けの防止対策について鋭意検討し、その結果、粉体圧送装置において、粉流体を取り出す下向きノズルを下向きのラッパ管（先広がりのテーパ管を指す。以下同じ。）とすること、および下向きノズル下端より上方の位置の粉体の流動化を図ることにより、吹き抜けが起こり難くなるという知見を得て本発明をなした。
【００１０】
すなわち、本発明は、圧送されるべき粉体が装入される圧送タンクと、該圧送タンクの底部に配設された、エアレーション配管を介して吹き込まれる気体により粉体を流動化するエアレーションチャンバとを有し、該エアレーションチャンバで形成された粉流体を圧送するようにした粉体圧送装置であって、前記エアレーションチャンバの吹き込み気体と粉体との接触面に配設された、多数の微細孔が形成された多孔板と、前記圧送タンク内を所定圧に加圧するための、前記エアレーション配管と独立したタンク加圧配管と、前記エアレーションチャンバで形成された粉流体を、複数の下向きノズルを介してエアレーションチャンバ上方へ取り出す粉体搬送配管を備えたものにおいて、前記下向きノズルを下向きのラッパ管とすると共に前記下向きノズルの下端より上方の位置に上部エアレーション用ノズルを設けたことを特徴とする粉体圧送装置である。
【００１１】
本発明では、前記ラッパ管のテーパ角度は１０〜３０°とするのが好ましい。
また、本発明では、前記ラッパ管の先端開口の口径Ｄが、該先端開口の中心と前記多孔板との最短距離ｈに対し、次の（式１）、より好ましくは（式２）、を満たすことが好ましい。
（式１）    ｜Ｄ−ｈ｜／Ｄ≦０．２０
（式２）    ｜Ｄ−ｈ｜／Ｄ≦０．１０
また、本発明では、前記ラッパ管を前記圧送タンクの中心軸に同心な同一円周上に等間隔で複数個配設すると共に、前記ラッパ管の相互隣接管間に前記上部エアレーション用ノズルを配設することが好ましい。この好適形態とした場合、前記多孔板を配設される前記エアレーションチャンバの吹き込み気体と粉体との接触面の一部が、前記圧送タンクの中心軸に同心な上細円錐台（上部ほど小径になる円錐台を指す。以下同じ。）の周面をなすことが好ましい。
【００１２】
また、本発明では、前記エアレーションチャンバへの吹き込み気体と前記上部エアレーション用ノズルへの吹き込み気体とを共通のエアレーション配管で供給し、前記エアレーションチャンバへの吹き込み気体と前記上部エアレーション用ノズルへの吹き込み気体の供給流量を制御する流量制御弁を設けることが好ましい。
【００１３】
【発明の実施の形態】
図１は、本発明装置（：本発明に係る粉体圧送装置）の１例を示す模式図である。同図において、２０はラッパ管、２１は上部エアレーション用ノズルである。なお、図３と同一または相当部材には同じ符号を付し説明を省略する。本発明では、多孔板５および下向きノズル７相当の排出管を採用している点で図３と同様であるため、その限りにおいては特許文献１と同様の効果を奏するものであるが、それだけではなく、特許文献１では考慮されていなかった点として、図示のように、図３相当の装置において下向きノズル７相当の排出管を下向きのラッパ管２０に限定したものである。これにより、流動化した粉体がより多量に下向きの管入口（管の先端開口）にかき集められるという作用が生まれるので、吹き抜けが生じ難くなるという従来にない効果を奏する。
【００１４】
この作用効果は、図２に定義を示すところの、ラッパ管２０のテーパ角度αが１０°以上で顕著となるが、一方、αを３０°よりも大きくすると管入口の上方の粉体の降下に対する抵抗が過大となって、該上方の粉体が下向きの管入口に間断なく円滑に回り込んでくるのが難しくなり、粉流体搬送量に脈動が生じ易くなる。したがって、ラッパ管のテーパ角度αは、１０〜３０°の範囲とするのが好ましい。
【００１５】
さらに、本発明のもう一つのポイントは、前記ラッパ管２０の下端より上方位置に上部エアレーション用ノズル２１を設けたことにある。この上部エアレーション用ノズル２１は、ラッパ管２０の下端、すなわち粉体を圧送タンク２内から取り出す取り出し部分（ラッパ管開口部）より上方位置に気体を供給し、上部粉体の流動化および上部側から下部側への粉体押し込み作用を果たす役割を担う。
【００１６】
したがって、エアレーションチャンバ側のエアレーションにより、流動化した粉流体中に“吹き抜け”を生じることが、上部エアレーション用ノズルによる上部粉体の流動化および粉体押し込み作用で上部から粉体が供給されることにより阻止されて、ラッパ管２０への粉流体供給がスムーズになる。
以上の２つの組合せにより、吹き抜けはなく、安定した、ラッパ管２０からの粉流体取り出し（粉流体の搬送）が実現できる。
【００１７】
この上部エアレーション用ノズル２１は、圧送タンク内に設けられている複数のラッパ管の相互隣接管間の略中央位置に配設されて前記効果を発揮する。
ここで、前記エアレーションチャンバ４に供給する吹き込み気体と、上部エアレーションノズル２１に供給する吹き込み気体とは、共通のエアレーション配管を介して供給することが好ましい。すなわち、前記二通りのエアレーション用気体を供給するエアレーション配管は共通の配管とし、該共通の配管を分岐させた各分岐管でエアレーションチャンバ４への吹き込み気体と上部エアレーション用ノズル２１への吹き込み気体を供給する。さらに、エアレーションチャンバ４側供給気体および上部エアレーション用ノズル２１側供給気体の供給流量を制御するため、各分岐管にはそれぞれ流量制御弁を配して流量調整を可能にする。これにより、同一圧力で前記エアレーションチャンバと前記上部エアレーション用ノズルとにエアレーション用気体の供給を行うことができ、前記粉体に対するエアレーション作用が干渉せずに安定する（すなわち、一方のエアレーション圧力が高いと、低い側への吹き抜け等が発生するが、同一圧力とすることにより当該吹き抜け等は発生しなくなる）。
【００１８】
また、前記気体の流量調整については、前記エアレーションチャンバ側供給気体の供給流量を４５〜６５％、前記上部エアレーション用ノズル側供給気体の供給流量を３５〜５５％とする流量配分を行って吹き込むことにより、ラッパ管からの安定取り出しが可能であった。
また、同図２に定義を示すところの、ラッパ管２０の先端開口の口径Ｄおよび該先端開口の中心と多孔板５との最短距離ｈも、粉流体搬送の安定性に関係する。ラッパ管２０において、粉流体をかき集めて安定して取り出すためには、前記エアレーションチャンバ４を構成する多孔板５とラッパ管２０開口部の下縁とを、図２に示すように平行に配置する。この平行な配置関係を構成することで、多孔板の各孔から供給される気体によるエアレーション効果で流動化された粉体を、ラッパ管２０開口部の下縁全周からかき集めて取り出すいわゆる粉体の捕捉効率が最も安定する。そして、ラッパ管２０の先端開口（開口部の下縁の開口）の口径Ｄと、ラッパ管開口部の下縁〜多孔板の上面間の距離ｈとには以下の関係がある。
【００１９】
すなわち、ラッパ管開口部の下縁が多孔板の上面に接近すればエアレーション効果が高く、エアレーションで流動化された粉体を最も捕捉しやすいのであるが、接近しすぎるとエアレーション用気体が過多の状態となり、ラッパ管開口部の周囲では、そのエアレーションのための吹き込み気体過多により、周囲から粉体が供給されなくなって、周囲から粉流体をかき集める効果が阻害される。
【００２０】
また、ラッパ管開口部の下縁が多孔板の上面から離隔しすぎると、エアレーション効果が不足して、流動化された粉体の捕捉が困難となり、エアレーション効果を高めるために気体供給量を増加させると吹き抜けが発生することになる。
本発明者らは、この不具合をラッパ管２０の先端開口（開口部の下縁の開口）の口径Ｄと、ラッパ管開口部の下縁〜多孔板の上面間の距離ｈとの関係を用いて以下の条件で解決した。
【００２１】
この不具合は、比ｈ／Ｄを０．８０〜１．２０の範囲とすること、すなわち、前記（式１）を満たすようにｈおよびＤを設定することで解消でき、粉流体搬送の安定性を十分なものとしうる。よって、本発明では、ｈおよびＤは前記（式１）を満たすものが好ましい。なお、ｈ／Ｄを０．９０〜１．１０に制限すると、粉流体搬送の安定性がさらに向上する。よって、本発明では、ｈおよびＤは前記（式２）を満たすものが、より好ましい。
【００２２】
また、本発明では、多地点への粉流体の同時搬送を可能とする観点から、図１に示したように、ラッパ管２０を圧送タンク２の中心軸に同心な同一円周上に等間隔で複数個配設すると共に、粉体搬送配管８を各ラッパ管２０から放射状に複数本配設することが好ましい。そうした場合、各ラッパ管２０近傍の圧力環境は、他のラッパ管２０のそれとの相互干渉によって乱されず同一環境となり、粉流体搬送の安定性の面から好ましい。
【００２３】
さらに、圧送タンク２の中心軸に同心な上細円錐台を設け、該上細円錐台の側面と圧送タンク２の内面とで半径方向に仕切り、同上細円錐台の上面の仮想展延面と多孔板５の上面とで高さ方向に仕切った空間内に、前記同一円周上に等間隔に複数個配設するラッパ管２０を、環状配列形に存在させる。ラッパ管２０をこのように配設することで、エアレーションによる粉体１の流動化はより効率的に形成され、粉体１は、多孔板５上方位置にあるラッパ管２０でスムーズに取り出される（搬送される）。
【００２４】
上部エアレーション用ノズル２１は、図１では圧送タンク２の壁を穿って内部にエアレーション用気体を吹き込み可能に設けられており、この上部エアレーション用ノズル２１への吹き込み気体は、エアレーションチャンバ４にエアレーション用気体を供給するエアレーション配管３から分岐された上部エアレーション用配管３ａから開閉弁（流量制御弁）１６ａ  で供給流量を調節されて吹き込まれるようになっている。この上部エアレーション用ノズル２１は、円周方向には、前述の如く、同一円周上に複数個配設した各ラッパ管２０の相互隣接管間の略中央位置に配置されるものであり、一方、高さ方向には、図２に示すように、ラッパ管２０の下端（＝ラッパ管開口部の下縁）より上方に距離Ｈを隔てた位置に配置される。
【００２５】
この上部エアレーション用ノズル２１をラッパ管２０の下端より上方に離す理由は、接近させすぎると吹き込んだエアレーション用気体がラッパ管２０側に“吹き抜け”を生じるためであり、この上部エアレーション用ノズル２１をラッパ管２０の下端より上方に離す距離Ｈは、圧送タンク２の内圧にもよるが、３００ｍｍ  以上とすることが好ましい。
【００２６】
なお、上部エアレーション用ノズル２１は、圧送タンク２の壁を穿って設けるほか、図２に上部エアレーション用ノズル２１ａ  として示すように上細円錐台の側壁を穿って設けても効果は同様である。この上部エアレーション用ノズル２１ａ  を配置する位置は、上細円錐台の側面内の同一円周上でかつ前記環状配列形のラッパ管の相互隣接管間の略中央位置とすればよい。
【００２７】
さらに、多孔板５は、図１、図２に示したように底部位置のみに配置するほか、底部位置および上細円錐台下部側面への配置も可能である。各ラッパ管２０に与える影響が同様な条件下での変更であれば、ラッパ管２０からの粉体取り出しに差を生じないからである。
また、本発明にいう多孔板５には、板に多数の細孔を穿った多孔穿孔板の他、多数の細孔を有する焼結金属板、あるいは多孔穿孔板に焼結金属板を組み合わせたもの等が含まれる。
【００２８】
なお、図１中、１０は、ブースタ気体を粉体搬送配管８に供給するブースタ配管を示すもので、粉体搬送配管８内を通って搬送される粉体１の搬送量をブースタ気体流量で制御するための流量制御弁１２を有する。
【００２９】
【実施例】
次に、実施例を挙げて本発明をさらに詳しく説明するが、本発明は、本実施例に限定されるものではない。本実施例では、高炉羽口へ微粉炭を供給するために、図１に例示した本発明装置を用いて微粉炭吹き込み操業を行った。ラッパ管２０のテーパ角度αは２０°とし、ラッパ管２０入口中心と多孔板５との最短距離ｈとラッパ管２０入口の口径Ｄの比ｈ／Ｄは１．０  とした。微粉炭を送給するためのラッパ管２０は、圧送タンク２の中心軸に同心な同一円周上に等間隔に各羽口用に３８本配置した。多孔板５としては、多数の微細孔が形成された焼結金属板を使用した。また、上部エアレーション用ノズル２１は、ラッパ管２０の下端より距離Ｈ＝３１０ｍｍ  だけ上方かつラッパ管２０の相互隣接管間の中央の位置に配置した。
【００３０】
以下、ここでの微粉炭圧送操業の仕方について装置の作用も交えて説明する。
まず、開閉弁１３を開いて粉体供給配管９から圧送タンク２内に微粉炭を装入し、装入後、開閉弁１３を閉止する。その後、エアレーション配管３の開閉弁１６を全開とし、エアレーションチャンバ４内に窒素ガスを送給して多孔板５から噴出させ、下向きのラッパ管２０付近の微粉炭を流動化させる。次に、タンク圧制御弁１８により圧送タンク２内圧を所定値（例：７０〜８０Ｎ／ｃｍ２）まで上げ、その値に保持すべくタンク圧制御弁１８を制御する。一方、各ブースタ配管１０のブースタ流量制御弁１２を調整して、各粉体搬送配管８の気体流量を所定値に保持できるように制御する。
【００３１】
これらの作業が終了した後、各開閉弁１７を全開にすると、圧送タンク２からラッパ管２０を介して各粉体搬送配管８へと微粉炭が流れ込み、圧送が開始される。この段階で、図３に例示した従来装置を用いていた時期には、圧送の開始から数秒〜数分の間に下向きノズル７のいずれかにおいて吹き抜けが起こり、この吹き抜けが起こった下向きノズル７からの流出量に大きな脈動が生じて、高炉の各羽口への微粉炭送給量に差を生じ高炉円周方向の温度分布に偏差を生じることがあった。これに対し、本実施例では、本発明のベストモードとして、下向きノズル７をラッパ管２０とし、さらに、α、Ｄおよびｈを好適範囲に設定し、加えて、上部エアレーション用ノズル２１からの気体吹き込みを行うようにしたから、いずれのラッパ管２０においても吹き抜けは起こらなくなった。なお、従来装置でのエアレーション用気体供給量を  １００としたとき、本発明装置ではエアレーションチャンバ用気体供給量が６５、上部エアレーション用ノズル用気体供給量が３５になる配分とすることで粉体の安定搬送が可能であった。
【００３２】
【発明の効果】
かくして、本発明によれば、吹き抜けを有効に防止することができ、従来に増して安定した粉体圧送が可能となるという優れた効果を奏する。
【図面の簡単な説明】
【図１】本発明装置の１例を示す模式図である。
【図２】ラッパ管のテーパ角度α、同管先端開口の口径Ｄおよび該先端開口中心と多孔板との最短距離ｈの定義説明図である。
【図３】粉体圧送装置の従来例を示す模式図である。
【符号の説明】
１  粉体（微粉炭）
２  圧送タンク
３  エアレーション配管
３ａ  上部エアレーション用配管
４  エアレーションチャンバ
５  多孔板
６  タンク加圧配管
７  下向きノズル
８  粉体搬送配管
９  粉体供給配管
１０  ブースタ配管
１２  ブースタ流量制御弁
１３  開閉弁
１４  安全弁
１５  ガス抜きパイプ
１６  開閉弁（流量制御弁）
１６ａ    開閉弁（流量制御弁）
１７  開閉弁
１８  タンク圧制御弁
２０  ラッパ管
２１  上部エアレーション用ノズル
２１ａ    上部エアレーション用ノズル
【図１】
2004277042.tif 000003
【図２】
2004277042.tif 000004
【図３】
2004277042.tif 000005